(57)【要約】【課題】本発明は建築、構築物の外装を形成する外装材に関するものである。【解決手段】金属製表面材１と裏面材２間に芯材３を形成し、金属製表面材１の上下端部に雄雌連結構造を形成した長尺状の外装材Ａにおいて、金属製表面材１の化粧面６全面には複数個の屋外側に突出した垂直平面状の頂面６ａを形成したブロックＢを形成し、該ブロックＢの長辺６Ｙ部分には傾斜平面Ｋを形成した外装材Ａであり、今までにない立体感を醸し出した壁体を形成出来るものである。【選択図】図１
2014012945.tif 000002
【特許請求の範囲】
【請求項１】
金属製表面材と裏面材間に芯材を形成し、金属製表面材の上下端部に雄雌連結構造を形成した長尺状の外装材において、金属製表面材の化粧面全面には複数個の屋外側に突出した垂直平面状の頂面を形成したブロックを形成し、該ブロックの長辺部分には傾斜平面を形成したことを特徴とする外装材。
【発明の詳細な説明】
【技術分野】
【０００１】
本発明は建築、構築物の外装を形成する外装材に関するものである。
【背景技術】
【０００２】
一般に、金属製板材をロール成形、プレス成形等して加工し、化粧面に凹凸を形成した外装材は数多く上市されている。（例えば、特許文献１、２参照）。
【先行技術文献】
【特許文献】
【０００３】
【特許文献１】特開平１１−２４０２９４号公報
【特許文献２】特開２００２−２３５４２３号公報
【特許文献３】特開２００９−１６７７７５号公報
【発明の概要】
【発明が解決しようとする課題】
【０００４】
特許文献１は「エンボス金属板」に係り、金属板をエンボスロール間に通して縦横溝目地を深くエンボシングする場合も金属板の両端の平坦部の平坦度を保つことが出来るようにしたものである。また、特許文献２は「壁材」に係り、凸部領域の表面に少なくとも４方向の略平行凹凸縞模様を形設して、光源の位置の変化、見る方向の変化によって、色調、色の濃淡が多様に変化するものが記載されている。さらに、特許文献３は「エンボス加工金属製外壁材」に係り、斜平面の位置が互いに異なる区画面を、それぞれ交互に長手方向に隣接する装飾面を形成したものである。
【０００５】
しかしながら、特許文献１〜３共に、金属製板材の化粧面にエンボスを施して意匠性、加工性を向上する思想は存在するものの、単調な外観が繰り返され今までに無いような陰影感と、光りの乱反射を利用したものでは無かった。
【課題を解決するための手段】
【０００６】
本発明はこのような欠点を解決するために、金属製表面材と裏面材間に芯材を形成し、金属製表面材の上下端部に雄雌連結構造を形成した長尺状の外装材において、金属製表面材の化粧面全面には複数個の屋外側に突出した垂直平面状の頂面を形成したブロックを形成し、ブロックの長辺部分には傾斜平面を形成した外装材に関するものである。
【発明の効果】
【０００７】
本発明に係る外装材によれば、（１）傾斜平面を設けることで頂面とは違う立体感を演出し、単体の材料で多色の意匠の様に見せることが出来る。（２）傾斜平面を各ブロックの全面でなく一部とすることで、ブロックの形状が長方形だけで無く、鍵形等の様々な形を持ち、凡庸な柄の中に動きを生じさせる意匠となる。（３）ブロックの上下の双方角に傾斜平面を形成した場合には、エンボス加工の加工量の偏りを防止出来る。（４）傾斜角度の異なる傾斜平面が今までに無い立体感と陰影感を醸し出す。等の特徴、効果がある。
【図面の簡単な説明】
【０００８】
【図１】本発明に係る外装材の代表例を示す断面図である。
【図２】本発明に係る外装材の代表例を示す部分拡大断面図である。
【図３】本発明に係る外装材の施工状態を示す断面図である。
【図４】本発明に係る外装材の化粧面を示す正面図である。
【図５】本発明に係る外装材の化粧面のブロックの実施例を示す平面図である。
【図６】本発明に係る外装材の化粧面のブロックの実施例を示す平面図である。
【図７】本発明に係る外装材の化粧面のブロックの実施例を示す平面図である。
【図８】本発明に係る外装材の化粧面のブロックの実施例を示す平面図である。
【図９】本発明に係る外装材の化粧面のブロックの実施例を示す平面図である。
【図１０】本発明に係る外装材の化粧面のブロックの実施例を示す平面図である。
【図１１】本発明に係る外装材の実施例を示す平面図である。
【図１２】本発明に係る外装材の実施例を示す平面図である。
【図１３】本発明に係る外装材の実施例を示す平面図である。
【発明を実施するための形態】
【実施例】
【０００９】
以下に図面を用いて、本発明に係る外装材の一実施例について詳細に説明する。すなわち、外装材Ａは図１、図２（ａ）、（ｂ）に示すように、金属製表面材１と裏面材２で例えば合成樹脂発泡体からなる芯材３を、サンドイッチした外装材Ａである。また、図３は施工状態を示す断面図である。
【００１０】
外装材Ａの全体形状の一例としては図１、図２（ａ）、（ｂ）に示すように、長尺で金属製の薄板からなる金属製表面材１と裏面材２間に芯材３をサンドイッチし、幅方向の一端に形成した雄型連結部４、他端に形成した雌型連結部５とから形成し、化粧面６の下端には側壁７、上端には側壁８を形成したものである。
【００１１】
さらに詳説すると、雄型連結部４は化粧面６下端を裏面側に屈曲した側壁７と、側壁７の先端を上方へ突出した上面９と、上面９の先端を下方に屈曲した係合片１０と、上面９と係合片１０とからなる係合溝１１とから形成したものである。
【００１２】
雌型連結部５は化粧面６の上端を裏面側に屈曲した側壁８と、側壁８の先端を上方に屈曲した目地底面１２と、目地底面１２の先端を折り返し下方に突出した下面１３と、目地底面１２と下面１３とからなる嵌合片１４と、下面１３の先端を上方に屈曲して突出した固定面１５と、下面１３と固定面１５とから形成した嵌合溝１６とから形成したものである。なお、１７は防水性強化のために形成したパッキンである。
【００１３】
化粧面６には図１、図４に示すように複数本の縦目地Ｔと横目地Ｙを形成し、複数段、複数列の大きさの異なるブロックＢを形成するものである。
【００１４】
このブロックＢには図１、図４に示すように、垂直平面状の頂面６ａ、頂面６ａより上方で屋内側に傾斜した上傾斜平面６ｂと、頂面６ａよりなる下方で屋内側に傾斜した下傾斜平面６ｃよりなる傾斜平面Ｋを形成するものである。なお、図面上では頂面６ａは斜め斜線、上傾斜平面６ｂは塗りつぶし無し、下傾斜平面６ｃは塗りつぶしにて表現する。なお、図４において６ＴはブロックＢの幅方向の短辺、６ＹはブロックＢの長手方向の長辺である。
【００１５】
その形成方法としては、（１）ブロックＢの頂面６ａの斜線で示す部分にエンボス模様を形成した場合、その部分ではエンボスを形成した頂面６ａ部分では四方八方への乱反射状態に光が反射し、その他の部分に形成した上傾斜平面６ｂと下傾斜平面６ｃの光の上下方向への反射により今までにない、陰影感を醸し出し、頂面６ａが浮き出して立体感のある壁体となる。なお、エンボス模様としては、図に示す斜線はエンボスを形成した部分を示すためのものであり、リシン模様、メロン模様、スタッコ模様、ニシキ模様、ニューメロン模様、キャスト模様、スジメ模様（縦、横、斜め）、ディンプル模様、等からなるものである。
【００１６】
（２）ブロックＢの上部に上傾斜平面６ｂを形成した場合、その部分では光の上方向への反射により、上傾斜平面６ｂの面が鏡面状態となり、そのブロックＢの上部の横目地Ｙの溝が強調され、頂面６ａが浮き出して立体感が増幅された壁体となる。図５（ａ）、（ｂ）参照。
【００１７】
（３）ブロックＢの下部に下傾斜平面６ｃを形成した場合、その部分では光の下方向への反射により、上傾斜平面６ｂの面が影になった状態となり、上部の頂面６ａを浮き出させて立体感を強化し、そのブロックＢの下部の横目地Ｙの溝部分では陰影が打ち消されて、立体感が減衰された壁体となる。図５（ｃ）参照。
【００１８】
（４）ブロックＢの角上部に上傾斜平面６ｂを形成した場合、その部分では光の上方向への反射により、上傾斜平面６ｂの面が鏡面状態となり、そのブロックＢの上部の横目地Ｙの溝が強調され、頂面６ａが浮き出して立体感が増幅された壁体となると共に、ブロックＢの頂面６ａが鍵型に形成され、複雑で立体感のある壁体となる。図５（ｄ）、（ｅ）、図６（ａ）、（ｅ）、図７（ａ）〜（ｅ）参照。
【００１９】
（５）ブロックＢの角下部に下傾斜平面６ｃを形成した場合、その部分では光の下方向への反射により、上傾斜平面６ｂの面が影になった状態となり、上部の頂面６ａを膨出させて立体感を強化し、そのブロックＢの下部の横目地Ｙの溝部分では陰影が打ち消されて、立体感が減衰された壁体となると共に、ブロックＢの頂面６ａが鍵型に形成され、複雑で立体感のある壁体となる。図６（ｂ）〜（ｅ）、図７（ａ）〜（ｅ）参照。
【００２０】
（６）ブロックＢの角部分の対角線上に上傾斜平面６ｂ、下傾斜平面６ｃを形成した場合、その部分ではブロックＢのエンボス加工の加工量の偏りを防止出来る。図６（ｅ）、図７（ａ）参照。
【００２１】
（７）隣り合うブロックＢの上傾斜平面６ｂ同士、あるいは下傾斜平面６ｃ同士を連続して形成した場合、その部分では光の上方向への反射により、上傾斜平面６ｂの面が鏡面状態となり、そのブロックＢの上部の横目地Ｙの溝が強調され、立体感が増幅された壁体となると共に、上傾斜平面６ｂが縦目地Ｔにより分断されることにより、上傾斜平面６ｂが途中で分断された複雑な模様を形成することが出来、一定ピッチのエンボッシング加工の単調さ（一定ピッチの柄の繰り返し）の無い壁体となる。図８（ａ）、（ｂ）参照。
【００２２】
（８）隣り合うブロックＢの上傾斜平面６ｂ、下傾斜平面６ｃ同士を上下に形成した場合、光りの反射が逆方向のブロックＢが形成され、ブロックＢの区画面境界が明確化した壁体となる。図８（ｃ）参照。
【００２３】
（９）上下のブロックＢの下傾斜平面６ｃと上傾斜面６ｂとが対向して形成された場合、横目地Ｙがさらに明確化し、これにより頂面６ａがさらに浮き出て見え、今までにない立体感を醸し出す壁体となる。図８（ｄ）参照。
【００２４】
（１０）光の反射による陰影感を助長するためにベースコイルを光沢有りのものとした場合、ベースの色を光沢有りとし、トップの色を種々変化させることにより明度をベース色（暗い）＜トップ色（明るい）の組み合わせで表現することが出来、コントラストに強弱が有り、頂面６ａの浮き出た立体感と多色感を助長した壁体となる。
【００２５】
（１１）最上段のブロックＢの列を、図１〜図４、図１１〜図１４に示すようにブロックＢの下部にのみ下傾斜平面６ｃを形成することによりダミーブロック列Ｒ１を形成し、図３に示すように外装材Ａを施工した場合に、連結目地γ部分の上段の外装材Ａと下段の外装材Ａの連結部分の隙間が外部から見えなくなり、複数の外装材Ａからなる壁体ではない、自然な一枚板の壁体を形成出来る。
【００２６】
（１２）最上段のブロックＢの列を、図１〜図４に示すようにブロックＢの下部にのみ下傾斜平面６ｃを形成することによりダミーブロック列Ｒ１を形成し、図３に示すように外装材Ａを施工した場合に、一定間隔でこのダミーブロック列Ｒ１の模様が形成されるために、同じようにブロックＢの下部にのみ下傾斜平面６ｃを形成したダミーブロック列Ｒ１のダミー模様を図４に示すように形成することにより、さらに自然な壁体を形成出来る。なお、連結目地γ、横目地Ｙの形状としては図に示すようなＶ字状目地、糸目地等の間隔が狭い溝を形成するものである。
【００２７】
（１３）さらに、ダミーブロック列Ｒ１のブロックＢの下部にのみ下傾斜平面６ｃを形成した模様が一定間隔で存在する違和感を解決するために、その逆の模様であるブロックＢの上部にのみ上傾斜平面６ｂを形成したダミーブロック列Ｒ２のダミー模様を図４に示すように形成すると、さらに自然な壁体を形成出来る。
【００２８】
勿論、（１）〜（１３）のブロックＢを組み合わせて形成することも出来るものである。なお、各ブロックの高さは図では同じ幅で形成しているが、異なる幅にて形成することも出来るものである。
【００２９】
図３において、αは躯体、βは固定具、γは連結部である。
【００３０】
金属製表面材１と裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をエンボスロール成形、あるいはプレス成形したものである。また、裏面材２としてはアルミニウム蒸着紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものでも良いものである。
【００３１】
芯材３は例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、金属製表面材１、もしくは裏面材２の裏面側に吐出させ、加熱して反応・発泡・硬化させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。勿論、芯材３としてロックウール、グラスウール、セラミックウール等の無機材を使用しても良いものである。
【００３２】
外装材Ａ同士は、係合片１０が嵌合溝１６へ、係合溝１１には嵌合片１４が連結されることにより、図３に示すように連結されるものである。
【００３３】
以上説明したのは本発明に係る外装材の一実施例にすぎず、図９（ａ）〜（ｅ）〜図１３に示すように外装材Ａを形成することも出来る。
【００３４】
すなわち、図９（ａ）〜（ｅ）、図１０（ａ）、（ｂ）はブロックＢのその他の実施例を示す平面図である。
【００３５】
図１１〜図１３は外装材ＡのブロックＢの段数を１８段に形成した外装材Ａのその他の実施例を示す平面図であり、図１１はエンボッシングの１ピッチを示す平面図、図１２は拡大平面図、図１３は外装材Ａを４段形成した場合の平面図である。なお、図１１〜図１３には、ダミーブロック列Ｒ１とダミーブロック列Ｒ２を形成している。
【符号の説明】
【００３６】
α  躯体
β  固定具
γ  連結目地
Ａ  外装材
Ｂ  ブロック
Ｋ  傾斜平面
Ｒ１  ダミーブロック列
Ｒ２  ダミーブロック列
Ｔ  縦目地
Ｙ  横目地
１  金属製表面材
２  裏面材
３  芯材
４  雄型連結部
５  雌型連結部
６  化粧面
６ａ  頂面
６ｂ  上傾斜平面
６ｃ  下傾斜平面
６Ｔ  短辺
６Ｙ  長辺
７  側壁
８  側壁
９  上面
１０  係合片
１１  係合溝
１２  目地底面
１３  下面
１４  嵌合片
１５  固定面
１６  嵌合溝
１７  パッキン
【図１】
2014012945.tif 000003
【図２】
2014012945.tif 000004
【図３】
2014012945.tif 000005
【図４】
2014012945.tif 000006
【図５】
2014012945.tif 000007
【図６】
2014012945.tif 000008
【図７】
2014012945.tif 000009
【図８】
2014012945.tif 000010
【図９】
2014012945.tif 000011
【図１０】
2014012945.tif 000012
【図１１】
2014012945.tif 000013
【図１２】
2014012945.tif 000014
【図１３】
2014012945.tif 000015